(57)【要約】【課題】受光部におけるインクミストの付着量が増加すると、受光部から出力された出力電圧を閾値と比較し、用紙の端部を検出することができないという課題がある。【解決手段】キャリッジ７側の端部が、上流側リブ４１のキャリッジ７側の端部より上流側支持面４４側に位置する被検知部４０が設けられた支持部４５と、キャリッジ７の支持部４５側に備えられた、光を照射する発光部と光の反射光を光電流に変換し出力電圧として出力する受光部と、支持部４５側に対して発光部から照射し、受光部によって出力された第１の出力電圧を閾値と比較し、用紙の端部を検出する端部検出処理部と、発光部と受光部とを被検知部４０に対向させ、発光部から被検知部４０に照射し、反射された反射光を受光部によって受光し、受光部から出力された第２の出力電圧に基づいて、受光部の感度を設定する感度設定部と、を備えた液体噴射装置を提供する。【選択図】図３
2013043423.tif 000002
【特許請求の範囲】
【請求項１】
搬送方向に搬送される記録媒体に向かって液体を噴射する液体噴射ヘッドを有し、前記搬送方向と交わる移動方向に往復移動するキャリッジと、
前記キャリッジ側に突出して前記搬送方向に伸び、前記記録媒体を支持する記録媒体支持部と、
前記記録媒体支持部の前記キャリッジ側の端部より前記キャリッジと反対側に設けられ、浮遊物の付着状態が検知される被検知部と、
前記被検知部と対向しうる位置に設けられた、光を照射する発光部と前記光の反射光を光電流に変換し出力電圧として出力する受光部と、
前記記録媒体支持部側に対して前記発光部から照射し、前記受光部によって出力された第１の出力電圧を閾値と比較し、前記記録媒体の端部を検出する端部検出処理部と、
前記発光部と前記受光部とを前記被検知部に対向させ、前記発光部から前記被検知部に照射し、前記被検知部によって反射された反射光を前記受光部によって受光し、前記受光部から出力された第２の出力電圧に基づいて、前記受光部の感度を設定する感度設定部と、
を備えたことを特徴とする液体噴射装置。
【請求項２】
請求項１に記載の液体噴射装置であって、
前記感度設定部は、前記発光部から前記記録媒体支持部に照射し、反射された反射光を前記受光部によって受光し、前記受光部から出力された第３の出力電圧を取得し、前記第２の出力電圧と前記第３の出力電圧との差に基づいて、前記受光部の感度を設定することを特徴とする液体噴射装置。
【請求項３】
請求項１または請求項２に記載の液体噴射装置であって、
前記被検知部は、前記搬送方向において、前記液体噴射ヘッドによって液体が噴射される液体噴射領域より外側に位置することを特徴とする液体噴射装置。
【請求項４】
請求項１から請求項３のいずれか一項に記載の液体噴射装置であって、
前記被検知部は、前記移動方向において、前記記録媒体が搬送される搬送領域の最小範囲に位置することを特徴とする液体噴射装置。
【請求項５】
請求項４に記載の液体噴射装置であって、
前記最小範囲が前記移動方向における中央部に位置することを特徴とする液体噴射装置。
【請求項６】
請求項４に記載の液体噴射装置であって、
前記最小範囲が前記移動方向における片側に位置することを特徴とする液体噴射装置。
【請求項７】
請求項１から請求項６のいずれか一項に記載の液体噴射装置であって、
前記被検知部には、面方向が前記移動方向である平坦部が設けられていることを特徴とする液体噴射装置。
【請求項８】
請求項７に記載の液体噴射装置であって、
前記平坦部は、鏡面状であることを特徴とする液体噴射装置。
【発明の詳細な説明】
【技術分野】
【０００１】
本発明は、液体噴射装置に関する。
【背景技術】
【０００２】
液体噴射装置の一例であるインクジェット式プリンターは、液体噴射ヘッドを設けたキャリッジを往復移動させながら、搬送される用紙などの記録媒体に液体噴射ヘッドからインクを噴射して画像を形成する。このようなインクジェット式プリンターでは、キャリッジに発光ダイオードなどの発光部とフォトトランジスターなどの受光部を設け、発光部から照射された光の反射光を受光部によって受光し、搬送される用紙の端部の位置を検出するものがある。
用紙の端部の位置を検出する方法は、受光部から出力された出力電圧を、予め設定された閾値と比較し、用紙の端部の位置を検出する。しかし、インクジェット式プリンターを長期間にわたって使用していると、液体噴射ヘッドからのインクの噴射によって発生したインクミストが受光部の表面に付着するため、用紙の端部の位置検出精度が低下する。
そこで、特許文献１では、受光部としてのセンサーを用いて、用紙上で検出された検出量と、用紙外で検出された検出量とに基づいて、閾値を決定する方法が開示されている。
【先行技術文献】
【特許文献】
【０００３】
【特許文献１】特開２００２−１２７５２１号公報
【発明の概要】
【発明が解決しようとする課題】
【０００４】
図１４は、従来のインクジェット式プリンターにおける受光部に流れる光電流と、受光部から出力された出力電圧とを示すグラフである。実線で示す出力電圧ＶＨは、用紙外で反射されて受光部から出力された出力電圧を示し、一点鎖線で示す出力電圧ＶＰは、用紙上で反射されて受光部から出力された出力電圧を示す。破線で示す閾値ＶＳは、出力電圧ＶＨの５０％の出力電圧である。
【０００５】
インクジェット式プリンターは、受光部から出力された出力電圧と閾値とを比較し、用紙の端部を検出する。具体的には、インクジェット式プリンターは、受光部から出力された出力電圧が閾値ＶＳ未満であれば、用紙上で反射されて受光部から出力された出力電圧ＶＰを検出したことになり、用紙の端部を検出したとして判定する。一方、出力電圧が閾値ＶＳ以上であれば、用紙外で反射されて受光部から出力された出力電圧ＶＨを検出したことになり、用紙の端部を検出していないとして判定する。
【０００６】
受光部におけるインクミストの付着量が増加すると、光電流が低下する。図１４に示すように、用紙外で検出される出力電圧ＶＨは、光電流の低下に伴って増加する。従って、光電流の低下に伴って、閾値ＶＳも増加する。
【０００７】
受光部におけるインクミストの付着量の増加によって光電流がさらに低下すると、用紙上で反射されて受光部から出力された出力電圧ＶＰは急激に上昇し、光電流Ｉｃ９では、閾値ＶＳと出力電圧ＶＰが同じ値となってしまう。さらに光電流Ｉｃ９より低下すると、出力電圧ＶＰは、閾値ＶＳを越えてしまう。そのため、光電流Ｉｃ９より低い光電流が受光部に流れているとき、用紙の端部で反射されて受光部から出力された出力電圧を閾値と比較すると、出力電圧が閾値を越えているので、インクジェット式プリンターは、用紙の端部がないとして判定してしまう。
【０００８】
このように、インクジェット式プリンターは、受光部におけるインクミストの付着量が増加すると、受光部から出力された出力電圧を閾値と比較し、用紙の端部を検出することができないという課題がある。
【課題を解決するための手段】
【０００９】
本発明は、上述の課題の少なくとも一部を解決するためになされたものであり、以下の形態または適用例として実現することが可能である。
【００１０】
［適用例１］搬送方向に搬送される記録媒体に向かって液体を噴射する液体噴射ヘッドを有し、前記搬送方向と交わる移動方向に往復移動するキャリッジと、前記キャリッジ側に突出して前記搬送方向に伸び、前記記録媒体を支持する記録媒体支持部と、前記記録媒体支持部の前記キャリッジ側の端部より前記キャリッジと反対側に設けられ、浮遊物の付着状態が検知される被検知部と、前記被検知部と対向しうる位置に設けられた、光を照射する発光部と前記光の反射光を光電流に変換し出力電圧として出力する受光部と、前記記録媒体支持部側に対して前記発光部から照射し、前記受光部によって出力された第１の出力電圧を閾値と比較し、前記記録媒体の端部を検出する端部検出処理部と、前記発光部と前記受光部とを前記被検知部に対向させ、前記発光部から前記被検知部に照射し、前記被検知部によって反射された反射光を前記受光部によって受光し、前記受光部から出力された第２の出力電圧に基づいて、前記受光部の感度を設定する感度設定部と、を備えたことを特徴とする液体噴射装置。
【００１１】
本適用例によれば、発光部と受光部とを被検知部に対向させ、発光部から被検知部に照射し、被検知部によって反射された反射光を受光部によって受光し、受光部から出力された第２の出力電圧に基づいて、受光部の感度を設定する感度設定部が備えられる。これにより、受光部の光電流において、記録媒体上で反射されて受光部から出力された第１の出力電圧が閾値未満である範囲を大きくできる。そのため、浮遊物が受光部に付着する量が増加し、光電流が減少しても、端部検出処理部は、記録媒体支持部側に対して発光部から照射し、受光部によって出力された第１の出力電圧を閾値と比較し、記録媒体の端部を検出することができる。また、被検知部は、記録媒体支持部のキャリッジ側の端部よりキャリッジと反対側に設けられる。そのため、搬送される記録媒体によって被検知部が磨耗することを抑制できる。これにより、被検知部で反射されて受光部から出力された出力電圧に基づいて、受光部に浮遊物が付着し、受光部が劣化した状態を判定できる。
【００１２】
［適用例２］前記感度設定部は、前記発光部から前記記録媒体支持部に照射し、反射された反射光を前記受光部によって受光し、前記受光部から出力された第３の出力電圧を取得し、前記第２の出力電圧と前記第３の出力電圧との差に基づいて、前記受光部の感度を設定することを特徴とする上記液体噴射装置。
【００１３】
本適用例によれば、受光部に浮遊物が付着することによる劣化状態を判定する精度を上げることができる。
【００１４】
［適用例３］前記被検知部は、前記搬送方向において、前記液体噴射ヘッドによって液体が噴射される液体噴射領域より外側に位置することを特徴とする上記液体噴射装置。
【００１５】
本適用例によれば、液体噴射ヘッドから噴射された液体が被検知部に付着することを防止できる。
【００１６】
［適用例４］前記被検知部は、前記移動方向において、前記記録媒体が搬送される搬送領域の最小範囲に位置することを特徴とする上記液体噴射装置。
【００１７】
本適用例によれば、被検知部が搬送される記録媒体によって覆われるので、浮遊物が被検知部に付着することを防止できる。
【００１８】
［適用例５］前記最小範囲が前記移動方向における中央部に位置することを特徴とする上記液体噴射装置。
【００１９】
本適用例によれば、被検知部が搬送される記録媒体によって覆われるので、浮遊物が被検知部に付着することを防止できる。
【００２０】
［適用例６］前記最小範囲が前記移動方向における片側に位置することを特徴とする上記液体噴射装置。
【００２１】
本適用例によれば、被検知部が搬送される記録媒体によって覆われるので、浮遊物が被検知部に付着することを防止できる。
【００２２】
［適用例７］前記被検知部には、面方向が前記移動方向である平坦部が設けられていることを特徴とする上記液体噴射装置。
【００２３】
本適用例によれば、発光部から被検知部に光が照射され、被検知部によって反射される反射率が高くなる。
【００２４】
［適用例８］前記平坦部は、鏡面状であることを特徴とする上記液体噴射装置。
【００２５】
本適用例によれば、発光部から被検知部に光が照射され、被検知部によって反射される反射率がさらに高くなる。
【図面の簡単な説明】
【００２６】
【図１】インクジェット式プリンターの外観斜視図。
【図２】インクジェット式プリンターの電気的な構成を示すブロック図。
【図３】支持部とキャリッジの斜視図。
【図４】キャリッジを鉛直方向下側から見た斜視図。
【図５】被検知部と上流側リブの断面図。
【図６】キャリッジに備えられた発光部と受光部を示す断面図。
【図７】発光部、受光部、感度設定回路部を示す回路図。
【図８】トランジスターが導通状態であるときの光電流と出力電圧の変化を示すグラフ。
【図９】トランジスターが非導通状態であるときの光電流と出力電圧の変化を示すグラフ。
【図１０】端部検出処理部、感度設定処理部が行う処理方法を示すフローチャート。
【図１１】感度設定処理の方法を示すフローチャート。
【図１２】実施形態２における感度設定処理の方法を示すフローチャート。
【図１３】実施形態３における搬送領域の最小範囲を示す図。
【図１４】従来のインクジェット式プリンターにおける受光部に流れる光電流と、受光部から出力された出力電圧とを示すグラフ。
【発明を実施するための形態】
【００２７】
以下、本発明の実施形態について、図面を参照して説明する。
【００２８】
（実施形態１）
図１は、液体噴射装置としての一例であるインクジェット式プリンター（以降は、プリンターという）１の外観斜視図である。筐体２には、操作パネル５、液晶パネルなどによって構成された表示部４が備えられる。使用者は、操作パネル５に備えられた操作ボタン６を操作して、プリンター１の電源をオン・オフしたり、液晶パネルなどの表示部４に表示された印刷設定条件を見ながら、印刷設定を行ったりする。
【００２９】
筐体２の背面側には、記録媒体としての用紙Ｓを載置するための用紙サポート３が備えられる。筐体２の内部に備えられた給紙装置（不図示）によって、用紙Ｓが１枚ずつ筐体２の内部に給紙される。
【００３０】
用紙サポート３には、用紙Ｓの移動方向Ｄ１の位置を規制する用紙ガイド１０，１１が備えられる。用紙ガイド１０，１１は、それぞれ移動方向Ｄ１にスライドし、用紙Ｓの移動方向Ｄ１の幅の長さに対応することができる。
【００３１】
筐体２の内部には、移動方向Ｄ１に往復移動するキャリッジ７が備えられる。キャリッジ７の鉛直方向Ｄ３下側には、液体としてのインクを噴射する液体噴射ヘッド８が備えられる。
【００３２】
筐体２の内部に給紙された用紙Ｓは、搬送方向Ｄ２に搬送されながら、移動方向Ｄ１に往復移動する液体噴射ヘッド８からインクが噴射されて、用紙Ｓに文字や画像が形成される。画像が形成された用紙Ｓは、排出開口部９から搬送方向Ｄ２に排出される。
【００３３】
図２は、プリンター１の電気的な構成を示すブロック図である。制御部２０には、ＣＰＵ２６、ＲＯＭ２１、ＲＡＭ２２、不揮発性メモリー２３が備えられ、ＣＰＵ２６は、ＲＯＭ２１からプログラムを読み出してＲＡＭ２２で実行する。不揮発性メモリー２３は、各種のプログラムを実行する際のパラメーターなどが記憶され、電源をオフしても記憶内容が保持される。
【００３４】
制御部２０は、駆動回路部２７を介して、液体噴射ヘッド８を駆動制御し、液体噴射ヘッド８からインクを噴射させる。制御部２０は、駆動回路部２８を介して、キャリッジモーター３０を駆動制御し、キャリッジ７を移動方向Ｄ１に往復移動させる。制御部２０は、駆動回路部２９を介して、搬送モーター３１を駆動制御し、用紙Ｓを搬送方向Ｄ２に搬送させる。
【００３５】
端部検出処理部２４は、搬送される用紙Ｓの端部を検出する。感度設定処理部２５は、感度設定回路部３４に制御信号を印加し、受光部３３の感度を設定する。端部検出処理部２４、感度設定処理部２５は、ＣＰＵ２６がＲＯＭ２１からプログラムを読み出してＲＡＭ２２で実行することによって機能する。
【００３６】
図３は、図１のプリンター１の筐体２を取り外した状態における支持部４５とキャリッジ７の斜視図である。キャリッジ７の鉛直方向Ｄ３上側には、インクカートリッジ（不図示）が着脱可能に搭載される。
【００３７】
支持部４５には、搬送方向Ｄ２上流側に位置する上流側支持面４４と、搬送方向Ｄ２下流側に位置する下流側支持面４３とが形成されている。上流側支持面４４には、鉛直方向Ｄ３上側に突出し、搬送方向Ｄ２に延びる上流側リブ４１が備えられる。下流側支持面４３には、鉛直方向Ｄ３上側に突出し、搬送方向Ｄ２に延びる下流側リブ４２が備えられる。
【００３８】
上流側リブ４１と下流側リブ４２とは、搬送される用紙Ｓを鉛直方向Ｄ３下側から支持し、図１の用紙Ｓは、上流側リブ４１と下流側リブ４２に沿って搬送される。上流側リブ４１と下流側リブ４２とは、本実施形態における記録媒体支持部を構成する。
【００３９】
上流側支持面４４には、鉛直方向Ｄ３上側に突出し、面方向が移動方向Ｄ１で鉛直方向Ｄ３上側が平坦な平坦部４０ａが形成され、浮遊物であるインクミストの付着状態が検知される被検知部４０が備えられる。被検知部４０は、移動方向Ｄ１に並ぶ二つの上流側リブ４１の間に備えられる。また、平坦部４０ａは、鏡面状に仕上げられている。
【００４０】
用紙ガイド１０，１１の移動方向Ｄ１における位置を設定することにより、図１の用紙サポート３に用紙Ｓが載置される位置は、用紙Ｓの移動方向Ｄ１における幅によって定められている。そのため、図１の用紙サポート３に載置された用紙Ｓが給紙され、図３の支持部４５上に搬送される用紙Ｓの搬送領域が用紙Ｓの幅ごとに定められる。
【００４１】
図３の最小範囲Ｒ１は、プリンター１で使用可能な移動方向Ｄ１における最小幅の用紙Ｓが搬送方向Ｄ２に搬送されるときの移動方向Ｄ１における搬送領域を示す。本実施形態のプリンター１では、搬送領域における最小範囲Ｒ１は、移動方向Ｄ１における中央部に定められる。被検知部４０は、最小範囲Ｒ１内に備えられる。
【００４２】
図４は、キャリッジ７を鉛直方向Ｄ３下側から見た斜視図である。キャリッジ７の鉛直方向Ｄ３下側には、液体噴射ヘッド８が備えられる。
【００４３】
図３の矢印Ａは、図４の液体噴射ヘッド８からインクが支持部４５に対して噴射される、支持部４５における搬送方向Ｄ２の液体噴射領域を示す。
【００４４】
液体噴射領域Ａは、下流側支持面４３に位置し、上流側支持面４４より搬送方向Ｄ２下流側に位置する。従って、上流側支持面４４に備えられた被検知部４０は、液体噴射領域Ａより搬送方向Ｄ２上流側に位置する。そのため、液体噴射ヘッド８から噴射されたインクが、被検知部４０の平坦部４０ａに付着してしまうことを抑制できる。
【００４５】
図５は、図３の破線Ｍで示した位置において、搬送方向Ｄ２から見た図で、上流側支持面４４に備えられた被検知部４０と上流側リブ４１の断面図である。上流側支持面４４には、搬送方向Ｄ２に延びる凸部４４ａと凹部４４ｂとが形成されている。
【００４６】
被検知部４０の平坦部４０ａの凸部４４ａからの高さＬ１は、上流側リブ４１の端部４１ａの凸部４４ａからの高さＬ２より低い。
【００４７】
すなわち、鉛直方向Ｄ３において、被検知部４０の平坦部４０ａの位置は、上流側リブ４１の端部４１ａより低く、上流側支持面４４における凸部４４ａより高い位置にある。すなわち、被検知部４０の平坦部４０ａは、上流側支持面４４よりキャリッジ７側に位置し、上流側リブ４１の端部４１ａよりキャリッジ７と反対側である上流側支持面４４側に位置する。
【００４８】
これにより、用紙Ｓが搬送方向Ｄ２に搬送されるとき、被検知部４０の平坦部４０ａが、用紙Ｓと当接することが抑制されるので、用紙Ｓとの摩擦によって、被検知部４０の平坦部４０ａが損傷してしまうことを防止できる。
【００４９】
図６は、キャリッジ７に備えられた発光部３２と受光部３３を示す断面図である。図４、図６のキャリッジ７の鉛直方向Ｄ３下側には、センサー開口部４６が形成されている。センサー開口部４６には、発光ダイオードなどの発光部３２と、フォトトランジスターなどの受光部３３が備えられる。
【００５０】
図２の発光部３２、受光部３３は、ＣＰＵ２６と接続され、ＣＰＵ２６は、発光部３２の発光機能と、受光部３３の受光機能を制御する。発光部３２から照射された光は、センサー開口部４６を通り、上流側支持面４４側に照射され、上流側支持面４４側で反射された光は、センサー開口部４６を通り、受光部３３によって受光することができる。
【００５１】
センサー開口部４６は、液体噴射ヘッド８より搬送方向Ｄ２上流側に備えられる。また、センサー開口部４６は、搬送方向Ｄ２において、被検知部４０の平坦部４０ａの位置にある。そのため、ＣＰＵ２６は、キャリッジモーター３０を駆動させてキャリッジ７を移動方向Ｄ１に移動させ、センサー開口部４６を被検知部４０の平坦部４０ａと対向する位置にすることができる。
【００５２】
図７は、受光部３３の感度を設定する感度設定回路部３４を示す回路図である。発光部３２である発光ダイオードＬＤのカソードは接地され、発光ダイオードＬＤのアノードは抵抗Ｒ１の一方と接続され、抵抗Ｒ１の他方には電源電圧Ｖｃｃが印加される。
【００５３】
受光部３３であるフォトトランジスターＰＴが光を受光すると、フォトトランジスターＰＴのコレクターとエミッター間には光電流Ｉｃが流れ、フォトトランジスターＰＴのコレクターと接続された端子部５１には、出力電圧Ｖｏが検出される。
【００５４】
フォトトランジスターＰＴのエミッターは接地され、フォトトランジスターＰＴのコレクターは抵抗Ｒ２の一方と接続され、抵抗Ｒ２の他方には電源電圧Ｖｃｃが印加される。また、フォトトランジスターＰＴのコレクターは抵抗Ｒ３の一方と接続され、抵抗Ｒ３の他方にはトランジスターＴ１のコレクターが接続される。
【００５５】
トランジスターＴ１のエミッターには、電源電圧Ｖｃｃが印加され、トランジスターＴ１のベースは抵抗Ｒ４の一方と接続され、抵抗Ｒ４の他方には電源電圧Ｖｃｃが印加される。
【００５６】
端子部５０はトランジスターＴ１のベースと接続される。ＣＰＵ２６は、端子部５０を介してトランジスターＴ１のベースに制御信号を印加し、トランジスターＴ１のコレクター、エミッター間を導通状態または非導通状態にスイッチング動作させることができる。
【００５７】
トランジスターＴ１のコレクター、エミッター間が導通状態であると、抵抗Ｒ３に電流が流れる。トランジスターＴ１のコレクター、エミッター間が非導通状態であると、抵抗Ｒ３に電流が流れない。
【００５８】
従って、抵抗Ｒ２は常に導通状態であるので、トランジスターＴ１のコレクター、エミッター間が導通状態であると、フォトトランジスターＰＴのコレクターには、抵抗Ｒ２と抵抗Ｒ３とを介して電流が流れる。トランジスターＴ１のコレクター、エミッター間が非導通状態であると、フォトトランジスターＰＴのコレクターには、抵抗Ｒ２を介して電流が流れる。
【００５９】
感度設定回路部３４は、抵抗Ｒ２，Ｒ３，Ｒ４と、トランジスターＴ１を含んで構成される。上述したように、感度設定回路部３４は、端子部５０を介してトランジスターＴ１のベースに印加される制御信号によって、フォトトランジスターＰＴのコレクターに接続された抵抗Ｒ３に電流を流すか否かを選択し、フォトトランジスターＰＴの感度を設定することができる。
【００６０】
図８は、図７のトランジスターＴ１のコレクター、エミッター間が導通状態であり、抵抗Ｒ２と抵抗Ｒ３とに電流が流れる状態にあるときの光電流Ｉｃと出力電圧Ｖｏの変化を示すグラフである。
【００６１】
図８のグラフは、フォトトランジスターＰＴに付着するインクミストの量の増加に伴って、フォトトランジスターＰＴの出力電圧Ｖｏと光電流Ｉｃとが変化する様子を示す。フォトトランジスターＰＴに付着するインクミストの量が増加し、フォトトランジスターＰＴの劣化が進むと、光電流Ｉｃが減少する。
【００６２】
図８の実線で示す出力電圧ＶＨ１は、用紙Ｓが図３の上流側支持面４４を覆う位置にないとき、上流側支持面４４に対して、発光ダイオードＬＤから光を照射し、上流側支持面４４によって反射された光をフォトトランジスターＰＴによって受光し、図７のフォトトランジスターＰＴから出力した出力電圧Ｖｏである。
【００６３】
一点鎖線で示す出力電圧ＶＰ１は、用紙Ｓが上流側支持面４４を覆う位置にあるとき、用紙Ｓに対して、発光ダイオードＬＤから光を照射し、用紙Ｓによって反射された光をフォトトランジスターＰＴによって受光し、フォトトランジスターＰＴから出力した出力電圧Ｖｏである。
【００６４】
破線で示す閾値ＶＳ１は、出力電圧ＶＨ１に所定の割合を乗算した値を示し、本実施形態では、所定の割合を例えば５０％とする。二点鎖線で示す出力電圧ＶＴ１は、図３の被検知部４０の平坦部４０ａに対して発光ダイオードＬＤから光を照射し、平坦部４０ａによって反射された光をフォトトランジスターＰＴによって受光し、フォトトランジスターＰＴから出力した出力電圧Ｖｏである。
【００６５】
フォトトランジスターＰＴに付着するインクミストの量が増えるに従って、光電流Ｉｃが減少し、出力電圧ＶＨ１、出力電圧ＶＰ１、閾値ＶＳ１、出力電圧ＶＴ１はそれぞれ増加する。
【００６６】
光電流Ｉｃにおける範囲Ｂ１においては、上流側支持面４４によって反射された光によってフォトトランジスターＰＴから出力した出力電圧Ｖｏは、所定の増加分の範囲Ｚ（例えば０．２Ｖ）にある。範囲Ｂ１より光電流Ｉｃが小さくなると、出力電圧Ｖｏは急激に増加する。
【００６７】
光電流Ｉｃにおける範囲Ｂ１においては、小さい方から順に、出力電圧ＶＰ１、閾値ＶＳ１、出力電圧ＶＴ１、出力電圧ＶＨ１が並んで示される。光電流Ｉｃが範囲Ｂ１より減少すると、出力電圧ＶＰ１は、急激に増加し、光電流Ｉｃ１における出力電圧ＶＰ１と閾値ＶＳ１とは同じになり、光電流Ｉｃ１より少ない光電流Ｉｃ２における出力電圧ＶＰ１は、閾値ＶＳ１を越えてしまう。
【００６８】
図９は、図７のトランジスターＴ１のコレクター、エミッター間が非導通状態であり、抵抗Ｒ２に電流が流れ、抵抗Ｒ３には電流が流れない状態にあるときの光電流Ｉｃと出力電圧Ｖｏの変化を示すグラフである。
【００６９】
図９のグラフは、フォトトランジスターＰＴに付着するインクミストの量の増加に伴って、フォトトランジスターＰＴの出力電圧Ｖｏと光電流Ｉｃとが変化する様子を示す。フォトトランジスターＰＴに付着するインクミストの量が増加し、フォトトランジスターＰＴの劣化が進むと、光電流Ｉｃが減少する。
【００７０】
図９の実線で示す出力電圧ＶＨ２は、用紙Ｓが図３の上流側支持面４４を覆う位置にないとき、上流側支持面４４に対して、発光ダイオードＬＤから光を照射し、上流側支持面４４によって反射された光をフォトトランジスターＰＴによって受光し、図７のフォトトランジスターＰＴから出力した出力電圧Ｖｏである。
【００７１】
図９の一点鎖線で示す出力電圧ＶＰ２は、用紙Ｓが上流側支持面４４を覆う位置にあるとき、用紙Ｓに対して、発光ダイオードＬＤから光を照射し、用紙Ｓによって反射された光をフォトトランジスターＰＴによって受光し、フォトトランジスターＰＴから出力した出力電圧Ｖｏである。
【００７２】
図９の破線で示す閾値ＶＳ２は、出力電圧ＶＨ２に所定の割合を乗算した値を示し、本実施形態では、所定の割合を例えば５０％とする。二点鎖線で示す出力電圧ＶＴ２は、図３の被検知部４０の平坦部４０ａに対して発光ダイオードＬＤから光を照射し、平坦部４０ａによって反射された光をフォトトランジスターＰＴによって受光し、フォトトランジスターＰＴから出力した出力電圧Ｖｏである。
【００７３】
フォトトランジスターＰＴに付着するインクミストの量が増えるに従って、光電流Ｉｃが減少し、出力電圧ＶＨ２、出力電圧ＶＰ２、閾値ＶＳ２、出力電圧ＶＴ２はそれぞれ増加する。
【００７４】
光電流Ｉｃにおける範囲Ｂ２においては、上流側支持面４４によって反射された光によってフォトトランジスターＰＴから出力した出力電圧Ｖｏは、所定の増加分の範囲Ｚ（例えば０．２Ｖ）にある。範囲Ｂ２より光電流Ｉｃが小さくなると、出力電圧Ｖｏは急激に増加する。
【００７５】
光電流Ｉｃにおける範囲Ｂ２においては、小さい方から順に、出力電圧ＶＰ２、閾値ＶＳ２、出力電圧ＶＴ２、出力電圧ＶＨ２が並んで示される。光電流Ｉｃが範囲Ｂ２より減少すると、出力電圧ＶＰ２は、急激に増加し、光電流Ｉｃ４における出力電圧ＶＰ２と閾値ＶＳ２とは同じになり、光電流Ｉｃ４より少ない光電流Ｉｃ５における出力電圧ＶＰ２は、閾値ＶＳ２を越えてしまう。
【００７６】
このように、フォトトランジスターＰＴの感度を切り替えることにより、上流側支持面４４からの反射光によってフォトトランジスターＰＴから出力した出力電圧Ｖｏが閾値と同じ値となってしまう図８の光電流Ｉｃ１から図９の光電流Ｉｃ４に小さくすることができる。
【００７７】
これに伴い、上流側支持面４４によって反射された光によってフォトトランジスターＰＴから出力した出力電圧Ｖｏにおける所定の増加分の範囲Ｚを、図８の光電流の範囲Ｂ１から図９の光電流の範囲Ｂ２に変更することができる。
【００７８】
図９の光電流の範囲Ｂ２における最小の光電流Ｉｃ３は、図８の光電流の範囲Ｂ１における最小の光電流Ｉｃ０より小さい。
【００７９】
そのため、フォトトランジスターＰＴが劣化して光電流Ｉｃが低下しても、上流側支持面４４を用紙Ｓが覆うとき、用紙Ｓからの反射光によってフォトトランジスターＰＴから出力した出力電圧ＶＰ２は、閾値ＶＳ２を越えてしまうことがないので、用紙Ｓの端部が有るとして判定できる。従って、出力電圧ＶＰ２と閾値ＶＳ２とを比較して用紙Ｓの有無を判定することができる。
【００８０】
プリンター１の初期使用状態では、フォトトランジスターＰＴの感度を切り替える前の状態にある。これにより、フォトトランジスターＰＴの感度が高すぎることによる誤検出を抑制する。
【００８１】
図２の感度設定処理部２５は、図３の被検知部４０の平坦部４０ａに対して発光ダイオードＬＤから光を照射し、平坦部４０ａによって反射された光をフォトトランジスターＰＴによって受光し、フォトトランジスターＰＴから出力された出力電圧Ｖｏを第２の出力電圧として取得する。
【００８２】
図８の出力電圧ＶｏにおけるＶＴ１ｍａｘは、光電流の範囲Ｂ１における出力電圧ＶＴ１の最大出力電圧を示す。
【００８３】
感度設定処理部２５は、取得した第２の出力電圧を図８の最大出力電圧ＶＴ１ｍａｘと比較する。感度設定処理部２５は、第２の出力電圧が、最大出力電圧ＶＴ１ｍａｘ以下であるとき、図７の感度設定回路部３４におけるトランジスターＴ１を導通状態にし、抵抗Ｒ２，Ｒ３に電流が流れる状態に設定する。感度設定処理部２５は、第２の出力電圧が、最大出力電圧ＶＴ１ｍａｘを越えるとき、トランジスターＴ１を非導通状態にし、抵抗Ｒ３には電流が流れず、抵抗Ｒ２に電流が流れる状態に設定する。
【００８４】
感度設定処理部２５によって、トランジスターＴ１を導通状態にし、抵抗Ｒ２，Ｒ３に電流が流れる状態に設定されているときの図２の端部検出処理部２４の処理内容について説明する。
【００８５】
端部検出処理部２４は、上流側支持面４４側に対して発光ダイオードＬＤから光を照射し、反射された光をフォトトランジスターＰＴによって受光し、フォトトランジスターＰＴから出力された出力電圧Ｖｏを第１の出力電圧として取得する。
【００８６】
端部検出処理部２４は、第１の出力電圧が図８の閾値ＶＳ１未満であるか否かを比較する。第１の出力電圧が閾値ＶＳ１未満であるときは、用紙Ｓからの反射による図８の出力電圧ＶＰ１を取得したことになるので用紙Ｓの端部を検出したとして判定する。
【００８７】
端部検出処理部２４は、第１の出力電圧が図８の閾値ＶＳ１以上であるときは、上流側支持面４４からの反射による出力電圧ＶＨ１を取得したことになるので用紙Ｓの端部を検出していないとして判定する。
【００８８】
次に、感度設定処理部２５によって、トランジスターＴ１を非導通状態にし、抵抗Ｒ２に電流が流れる状態に設定されているときの端部検出処理部２４の処理内容について説明する。
【００８９】
端部検出処理部２４は、上流側支持面４４側に対して発光ダイオードＬＤから光を照射し、反射された光をフォトトランジスターＰＴによって受光し、フォトトランジスターＰＴから出力された出力電圧Ｖｏを第１の出力電圧として取得する。
【００９０】
端部検出処理部２４は、第１の出力電圧が図９の閾値ＶＳ２未満であるか否かを比較する。第１の出力電圧が閾値ＶＳ２未満であるときは、用紙Ｓからの反射による図９の出力電圧ＶＰ２を取得したことになるので用紙Ｓの端部を検出したとして判定する。
【００９１】
端部検出処理部２４は、第１の出力電圧が図９の閾値ＶＳ２以上であるときは、上流側支持面４４からの反射による出力電圧ＶＨ２を取得したことになるので用紙Ｓの端部を検出していないとして判定する。
【００９２】
次に、端部検出処理部２４、感度設定処理部２５が行う処理方法について、フローチャートを用いて説明する。図１０は、端部検出処理部２４、感度設定処理部２５が行う処理方法を示すフローチャートである。
【００９３】
プリンター１の初期使用状態では、図７の感度設定回路部３４におけるトランジスターＴ１は導通状態であり、抵抗Ｒ２，Ｒ３に電流が流れる状態に設定され、後述する感度変更フラグの設定はＯＦＦである。
【００９４】
感度設定処理部２５は、図１０のステップＳ１００における感度設定処理を行う。端部検出処理部２４は、図１０のステップＳ１１０からステップＳ１７０までの処理を行う。
【００９５】
ステップＳ１１０では、ＣＰＵ２６は、センサー開口部４６が上流側支持面４４に対向する位置になるようにキャリッジ７を移動する。ステップＳ１２０では、ＣＰＵ２６は、上流側支持面４４に発光部３２から照射し、上流側支持面４４からの反射光を受光部３３によって受光し、受光部３３から出力された出力電圧Ｖｏを取得する。
【００９６】
ステップＳ１３０では、ＣＰＵ２６は、ステップＳ１２０で取得した出力電圧Ｖｏの所定の割合（例えば５０％）を閾値として設定する。
【００９７】
ステップＳ１４０では、ＣＰＵ２６は、キャリッジ７を移動させながら用紙Ｓを搬送させる。ステップＳ１５０では、ＣＰＵ２６は、発光ダイオードＬＤによって上流側支持面４４側に光を照射し、フォトトランジスターＰＴから出力された出力電圧Ｖｏを第１の出力電圧として取得する。
【００９８】
ステップＳ１６０では、ＣＰＵ２６は、取得した第１の出力電圧が、ステップＳ１３０で設定された閾値未満であるか否かを判定する。第１の出力電圧が、閾値未満であるときは（Ｙｅｓ）、用紙Ｓの端部を検出したとして判定し、ステップＳ１７０に進む。ステップＳ１７０では、ＣＰＵ２６は、搬送方向Ｄ２における用紙Ｓの移動量の値を取得し、用紙Ｓの端部の位置を検出する。
【００９９】
ステップＳ１６０において第１の出力電圧が、閾値以上であるときは（Ｎｏ）、用紙Ｓの端部を検出していないとして判定し、ステップＳ１４０に戻る。
【０１００】
図１１は、図１０のステップＳ１００における感度設定処理の方法を示すフローチャートである。感度設定処理部２５は、ステップＳ２００からステップＳ２５０までの処理を行う。ステップＳ２００では、ＣＰＵ２６は、感度変更フラグはＯＮであるか否かを判定する。感度変更フラグがＯＮであるときは（Ｙｅｓ）、処理を終了する。感度変更フラグがＯＦＦであるときは（Ｎｏ）、ステップＳ２１０に進む。
【０１０１】
ステップＳ２１０では、ＣＰＵ２６は、図４のセンサー開口部４６が被検知部４０の平坦部４０ａと対向する位置になるように、キャリッジ７を移動させる。ステップＳ２２０では、ＣＰＵ２６は、被検知部４０の平坦部４０ａによって反射され、フォトトランジスターＰＴから出力された出力電圧Ｖｏを第２の出力電圧として取得する。
【０１０２】
ステップＳ２３０では、ＣＰＵ２６は、取得した第２の出力電圧が図８の最大出力電圧ＶＴ１ｍａｘ以上であるか否かを判定する。
【０１０３】
取得した第２の出力電圧が最大出力電圧ＶＴ１ｍａｘ以上であるときは（Ｙｅｓ）、光電流Ｉｃは、図８の光電流Ｉｃの範囲Ｂ１における最小の光電流Ｉｃ０より低いので、ステップＳ２４０に進む。取得した第２の出力電圧が最大出力電圧ＶＴ１ｍａｘ未満であるときは（Ｎｏ）、光電流Ｉｃは、図８の光電流Ｉｃの範囲Ｂ１にあるので、図１０のステップＳ１１０に戻る。
【０１０４】
ステップＳ２４０では、ＣＰＵ２６は、図２、図７の感度設定回路部３４を用いて、フォトトランジスターＰＴの感度を変更する。すなわち、トランジスターＴ１を非導通状態にし、抵抗Ｒ３には電流が流れず、抵抗Ｒ２に電流が流れる状態に設定する。ステップＳ２５０では、ＣＰＵ２６は、図２の不揮発性メモリー２３に設けられた感度変更フラグをＯＮに設定する。
【０１０５】
本実施形態における感度設定部は、図２の感度設定処理部２５、図２、図７の感度設定回路部３４を含んで構成される。
【０１０６】
以上、本実施形態で説明した図１のプリンター１は、搬送方向Ｄ２に搬送される用紙Ｓに向かってインクを噴射する液体噴射ヘッド８を有し、搬送方向Ｄ２と交わる移動方向Ｄ１に往復移動するキャリッジ７と、キャリッジ７側に突出して搬送方向Ｄ２に伸び、用紙Ｓを支持する上流側リブ４１、下流側リブ４２と、上流側リブ４１のキャリッジ７側の端部よりキャリッジ７と反対側に設けられ、浮遊物であるインクミストの付着状態が検知される被検知部４０と、被検知部４０と対向しうる位置に設けられた、光を照射する発光部３２と光の反射光を光電流Ｉｃに変換し出力電圧Ｖｏとして出力する受光部３３と、下流側リブ４２側に対して発光部３２から照射し、受光部３３によって出力された第１の出力電圧を閾値と比較し、用紙Ｓの端部を検出する端部検出処理部２４と、発光部３２と受光部３３とを被検知部４０に対向させ、発光部３２から被検知部４０に照射し、反射された反射光を受光部３３によって受光し、受光部３３から出力された第２の出力電圧に基づいて、受光部３３の感度を設定する感度設定部と、を備える。
【０１０７】
図８を用いて説明したように、図７のトランジスターＴ１が導通状態であるとき、受光部３３の光電流Ｉｃにおいて、用紙Ｓ上で反射されて受光部３３から出力された出力電圧ＶＰ１が閾値ＶＳ１未満である範囲Ｂ１が設けられる。また、図９を用いて説明したように、図７のトランジスターＴ１が非導通状態であるとき、受光部３３の光電流Ｉｃにおいて、用紙Ｓ上で反射されて受光部３３から出力された出力電圧ＶＰ２が閾値ＶＳ２未満である範囲Ｂ２が設けられる。
【０１０８】
感度設定部における図２の感度設定処理部２５は、発光部３２と受光部３３とが被検知部４０に対向するようにキャリッジ７を移動させ、発光部３２から被検知部４０に照射し、反射された反射光を受光部３３によって受光し、受光部３３から出力された第２の出力電圧を最大出力電圧ＶＴ１ｍａｘと比較し、図２、図７の感度設定回路部３４を用いて受光部３３の感度を設定する。
【０１０９】
従って、この構成によれば、受光部３３の光電流Ｉｃにおいて、用紙Ｓ上で反射されて受光部３３から出力された出力電圧（ＶＰ１，ＶＰ２）が閾値（ＶＳ１，ＶＳ２）未満である範囲（Ｂ１，Ｂ２）を大きくできる。
【０１１０】
そのため、インクミストが受光部３３に付着する量が増加し、光電流Ｉｃが減少しても、端部検出処理部２４は、支持部４５側に対して発光部３２から照射し、受光部３３によって出力された第１の出力電圧を閾値と比較し、用紙Ｓの端部を検出することができる。また、図５の被検知部４０におけるキャリッジ７側の端部である平坦部４０ａが、上流側リブ４１のキャリッジ７側の端部４１ａより上流側支持面４４側に位置する。そのため、搬送される用紙Ｓによって被検知部４０の平坦部４０ａが磨耗することを抑制できる。これにより、被検知部４０の平坦部４０ａで反射されて受光部３３から出力された第２の出力電圧に基づいて、受光部３３にインクミストが付着し、受光部３３が劣化した状態を判定できる。
【０１１１】
また、図３の被検知部４０は、搬送方向Ｄ２において、液体噴射ヘッド８によってインクが噴射される液体噴射領域Ａより外側に位置する。この構成によれば、液体噴射ヘッド８から噴射されたインクが被検知部４０に付着することを防止できる。
【０１１２】
また、被検知部４０は、移動方向Ｄ１において、支持部４５における用紙Ｓが搬送される搬送領域の最小範囲Ｒ１に位置する。本実施形態では、最小範囲Ｒ１が移動方向Ｄ１における支持部４５における中央部に位置する。この構成によれば、被検知部４０が搬送される用紙Ｓによって覆われるので、インクミストが被検知部４０に付着することを防止できる。
【０１１３】
また、被検知部４０には、面方向が移動方向Ｄ１である平坦部４０ａが設けられている。この構成によれば、発光部３２から被検知部４０に光が照射され、被検知部４０によって反射される反射率が高くなる。
【０１１４】
また、平坦部４０ａは、鏡面状である。この構成によれば、発光部３２から被検知部４０に光が照射され、被検知部４０によって反射される反射率がさらに高くなる。
【０１１５】
被検知部４０にインクミストが付着して反射率が低下する度合いは、上流側支持面４４にインクミストが付着して反射率が低下する度合いより大きい。そのため、図８に示すように、インクミストの付着に伴って、被検知部４０からの反射光によって得られた出力電圧ＶＴ１の上昇率は、上流側支持面４４からの反射光によって得られた出力電圧ＶＨ１の上昇率より大きい。これにより、本実施形態では、被検知部４０からの反射光によって得られる図８の最大出力電圧ＶＴ１ｍａｘを用いてフォトトランジスターＰＴの劣化状態を判定した。
【０１１６】
（実施形態２）
実施形態１では、被検知部４０の平坦部４０ａの反射光量を、フォトトランジスターＰＴから出力された第２の出力電圧として検出し、フォトトランジスターＰＴの劣化状態を判定したが、実施形態２では、上流側支持面４４の反射光量をフォトトランジスターＰＴから出力された第３の出力電圧として検出し、第２の出力電圧と第３の出力電圧との差に基づいて、フォトトランジスターＰＴの劣化状態を判定する。
【０１１７】
図８の出力電圧ＶｏにおけるＶＨ１ｍａｘは、光電流の範囲Ｂ１における出力電圧ＶＨ１の最大出力電圧を示す。
【０１１８】
図８に示すように、光電流Ｉｃが減少するに伴って、出力電圧ＶＨ１と出力電圧ＶＴ１との差が小さくなる。そこで、上流側支持面４４によって反射されて検出された第３の出力電圧と、被検知部４０の平坦部４０ａによって反射されて検出された第２の出力電圧との差が、図８の最大出力電圧ＶＨ１ｍａｘと、最大出力電圧ＶＴ１ｍａｘとの差以下である否かを判定する。
【０１１９】
本実施形態における、端部検出処理部２４、感度設定処理部２５が行う処理方法について、フローチャートを用いて説明する。本実施形態は、実施形態１の図１０のフローチャートにおける処理方法と同じである。図１２は、図１０のフローチャートにおけるステップＳ１００における感度設定処理の方法を説明するフローチャートである。感度設定処理部２５は、ステップＳ３００からステップＳ３７０までの処理を行う。
【０１２０】
ステップＳ３００では、ＣＰＵ２６は、感度変更フラグがＯＮであるか否かを判定する。感度変更フラグがＯＮであるときは（Ｙｅｓ）、処理を終了する。感度変更フラグがＯＦＦであるときは（Ｎｏ）、ステップＳ３１０に進む。
【０１２１】
図１２のステップＳ３１０では、ＣＰＵ２６は、センサー開口部４６が被検知部４０の平坦部４０ａと対向する位置になるように、キャリッジ７を移動させる。ステップＳ３２０では、ＣＰＵ２６は、被検知部４０の平坦部４０ａの反射光量を、フォトトランジスターＰＴから出力された第２の出力電圧として取得する。
【０１２２】
ステップＳ３３０では、ＣＰＵ２６は、センサー開口部４６が上流側支持面４４と対向する位置になるように、キャリッジ７を移動させる。ステップＳ３４０では、ＣＰＵ２６は、上流側支持面４４の反射光量を、フォトトランジスターＰＴから出力された第３の出力電圧として取得する。
【０１２３】
ステップＳ３５０では、ＣＰＵ２６は、第２の出力電圧と第３の出力電圧との差が、図８の上流側支持面４４の反射光量による最大出力電圧ＶＨ１ｍａｘと平坦部４０ａの反射光量による最大出力電圧ＶＴ１ｍａｘとの差以下であるか否かを判定する。
【０１２４】
ステップＳ３５０において、第２の出力電圧と第３の出力電圧との差が、最大出力電圧ＶＨ１ｍａｘと最大出力電圧ＶＴ１ｍａｘとの差以下であるときは（Ｙｅｓ）、光電流Ｉｃは、図８の光電流Ｉｃの範囲Ｂ１における最小の光電流Ｉｃ０より低いので、ステップＳ３６０に進む。
【０１２５】
第２の出力電圧と第３の出力電圧との差が、最大出力電圧ＶＨ１ｍａｘと最大出力電圧ＶＴ１ｍａｘとの差を越えるときは（Ｎｏ）、光電流Ｉｃは、図８の光電流Ｉｃの範囲Ｂ１にあるので、図１０のステップＳ１１０に戻る。
【０１２６】
ステップＳ３６０では、ＣＰＵ２６は、図２、図７の感度設定回路部３４を用いて、フォトトランジスターＰＴの感度を変更する。ステップＳ３７０では、ＣＰＵ２６は、図２の不揮発性メモリー２３に設けられた感度変更フラグをＯＮに設定し、図１０のステップＳ１１０に戻る。
【０１２７】
本実施形態におけるプリンターのその他の構成は、実施形態１で説明したプリンター１の構成と同じである。
【０１２８】
以上説明したように、本実施形態のプリンターにおける感度設定部は、発光部３２から被検知部４０の平坦部４０ａに照射し、反射された反射光を受光部３３によって受光し、受光部３３から出力された第２の出力電圧と、発光部３２から上流側支持面４４に照射し、被検知部４０によって反射された反射光を受光部３３によって受光し、受光部３３から出力された第３の出力電圧と、を取得し、第２の出力電圧と第３の出力電圧との差に基づいて、受光部３３の感度を設定する。
【０１２９】
この構成によれば、受光部３３にインクミストが付着することによる劣化状態を判定する精度を上げることができる。
【０１３０】
（実施形態３）
図１３は、支持部４５を鉛直方向Ｄ３上側から見た図で、搬送領域における最小範囲Ｒ２を示す図である。実施形態１、実施形態２では、用紙Ｓの移動方向Ｄ１における搬送領域の最小範囲Ｒ１は、支持部４５における移動方向Ｄ１中央部に定められたが、搬送領域における最小範囲Ｒ２を支持部４５における移動方向Ｄ１片側に定めてもよい。
【０１３１】
本実施形態のプリンターにおける被検知部４０は、搬送領域における最小範囲Ｒ２内の上流側支持面４４に備えられる。本実施形態におけるプリンターのその他の構成は、実施形態１で説明したプリンター１の構成と同じである。
【０１３２】
本実施形態のプリンターでは、搬送領域における最小範囲Ｒ２が移動方向Ｄ１における片側に位置する。これによれば、被検知部４０が搬送される用紙Ｓによって覆われるので、インクミストが被検知部４０に付着することを防止できる。
【０１３３】
実施形態１〜実施形態３の被検知部４０は、上流側支持面４４からキャリッジ７側に突出していたが、平坦部４０ａを上流側支持面４４と同じ高さまたは上流側支持面４４よりキャリッジ７と反対側に被検知部４０を形成してもよい。
【０１３４】
実施形態１〜実施形態３では、感度設定部によって、インクミストが受光部３３に付着して受光部３３が劣化していると判定すると受光部３３の感度を上げたが、受光部３３をクリーニングすることにより付着していたインクミストを受光部３３から除去したときなどは、受光部３３の感度を下げるようにしてもよい。
【０１３５】
液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。
【符号の説明】
【０１３６】
１…インクジェット式プリンター、７…キャリッジ、８…液体噴射ヘッド、２４…端部検出処理部、２５…感度設定処理部、３２…発光部、３３…受光部、３４…感度設定回路部、４０…被検知部、４０ａ…平坦部、４１…上流側リブ、４１ａ…端部、４２…下流側リブ、４３…下流側支持面、４４…上流側支持面、４５…支持部、４６…センサー開口部、Ａ…液体噴射領域、Ｄ１…移動方向、Ｄ２…搬送方向、ＬＤ…発光ダイオード、ＰＴ…フォトトランジスター、Ｒ１，Ｒ２…搬送領域の最小範囲、Ｓ…用紙、ＶＳ１，ＶＳ２…閾値。
【図１】
2013043423.tif 000003
【図２】
2013043423.tif 000004
【図３】
2013043423.tif 000005
【図４】
2013043423.tif 000006
【図５】
2013043423.tif 000007
【図６】
2013043423.tif 000008
【図７】
2013043423.tif 000009
【図８】
2013043423.tif 000010
【図９】
2013043423.tif 000011
【図１０】
2013043423.tif 000012
【図１１】
2013043423.tif 000013
【図１２】
2013043423.tif 000014
【図１３】
2013043423.tif 000015
【図１４】
2013043423.tif 000016